(57)【要約】【課題】  従来、ＩＣを製造する方法として、ＩＣの台紙の表面に配線を印刷し台紙の裏面に電通させるためのバーベルを設けたＩＣの配線の形成がされていた。【解決手段】ＩＣの配線印刷において、無限状の端部に設けられた折り返し部を基点（２０３）として並列状態でアンテナコイルを形成するように配置されたＩＣ配線（２０）とよりなるＩＣタグを提供する。【選択図】      図３
2005346684.tif 000002
【特許請求の範囲】
【請求項１】
ＩＣタグ用の台紙本体と、該台紙本体に無限状の端部に設けられた折り返し部を基点として並列状態でアンテナコイルを形成するように配置されたＩＣ配線とよりなるＩＣタグ。
【請求項２】
ＩＣ配線の任意部分に設けられた配線欠落部と、該配線欠落部に導通可能となるように設けられたＩＣチップとよりなるＩＣタグ。
【発明の詳細な説明】
【技術の分野】
【０００１】本発明は、台紙の表面にアンテナコイルを形成するＩＣ配線が端部に設けられた折り返し部を基点として並列状態でアンテナコイルを形成するように配置されたＩＣ配線とよりなるＩＣタグに関するものである。
【背景技術】
【０００２】  絶縁被覆導線が所定形状に巻線されるとともに、その端末位置を接続対象物に対応するよう位置決めされてなるコイルがアンテナコイル仮固定用シートに固定されて構成される発明がされていた。
【特許文献１】特許公開番号特開平１１−２０４３５８
【発明の開示】
【発明が解決しようとする課題】
【０００３】  これには次のような欠点があった。
従来、ＩＣタグのアンテナコイルを形成するＩＣ配線は端部から端部の電極部を接触させるためのショートを防止する方法として下記の手段がとられていた。
（イ）従来、ＩＣを製造する方法として、ＩＣの台紙の表面に配線を印刷し、電極の接触ショートを防ぐ方法として、台紙の裏面を活用して電通させるためのバーベル加工をおこなわなければならなかった。
（ロ）ＩＣを製造する方法として、ＩＣの台紙の表面に配線を印刷し、電極の接触ショートを防ぐ方法として、台紙の裏面を活用して電通させるためのスルーホールの形成とバーベル加工の製造は困難なものであった。
（ハ）ＩＣを製造する方法として、ＩＣの台紙の表面に配線を印刷し、電極の接触ショートを防ぐ方法として、台紙の裏面を活用して電通させるためのバーベル加工の製造においては、台紙両面の加工のためにコスト費用がかかっていた。
本発明は、これらの問題点を解決するためになされたものである。
【課題を解決するための手段】
【０００４】  図３に示すＩＣタグ用の台紙（１０）本体と、該台紙本体に無限状の端部に設けられた折り返し部を基点（２０３）として並列状態でアンテナコイルを形成するように配置されたＩＣ配線（２０）とよりなるＩＣタグを提供する。
図４に示すＩＣ配線（２０）の任意部分に設けられた配線欠落部（折り返し部基点（２０３））と、該配線欠落部に導通可能となるように設けられたＩＣチップ（３０）とよりなるＩＣタグを提供する。
【発明の効果】
【０００５】  図３に示すＩＣタグ用の台紙（１０）本体と、該台紙本体に無限状の端部に設けられた折り返し部を基点（２０３）として並列状態でアンテナコイルを形成するように配置されたＩＣ配線（２０）とよりなるＩＣタグの提供の効果により、下記に示す効果を実現する。
１．  従来のＩＣタグの製造は台紙の両面加工を必要としていたが、本発明の効果によりＩＣタグの製造は台紙の表面だけでの加工でＩＣタグの製造が可能となることを実現する。
２．  ＩＣタグの製造において銀ペーストを用いてのＩＣ配線は一工程の印刷でＩＣタグ製造が可能となることから低コストのＩＣタグの提供を実現する。
３．  ＩＣ配線の端部に設けられた折り返し部を基点（２０３）として並列状態でアンテナコイルを形成する基点からの電極部の接続が可能となることでバーレルの加工を必要としないことを実現する。
４．  ＩＣ配線のアンテナコイルの形成において、折り返し部を基点（２０３）として並列状態でアンテナコイルを折り返すことで倍のアンテナコイルが形成されることで高電波、高周波のＩＣタグの製造が可能となることを実現する。
以上の効果を実現し、他の応用の効果として図４に示すＩＣ配線（２０）の任意部分に設けられた配線欠落部（折り返し部基点（２０３））と、該配線欠落部に導通可能となるように設けられたＩＣチップ（３０）とよりなるＩＣタグの提供の効果により下記に示す効果を実現する。
１．    ＩＣ配線の配線欠落部と、該配線欠落部を任意に設けることにより、所定の位置に導通可能となるＩＣチップを設けることを実現する。
２．    ＩＣ配線の配線欠落部と、該配線欠落部を任意に設けることにより、所定の位置に導通可能となるＩＣチップを設けることで、作業効率を高め低コストのＩＣタグの提供を実現する。
本発明は、以上の効果を実現するものである。
【発明を実施するための最良の形態】
【０００６】  以下、本発明の実施の形態について図１乃至図６をもちいて説明する。
図１に記載されているのは、従来のＩＣの形態を示した図で台紙（１０）の裏面にＩＣ配線（２０）を印刷し電通電極位置にスルーホール（５０）を台紙（１０）に設け、台紙（１０）表面のスルーホール（５０）の位置に静電させるため台紙（１０）の表面、電極部Ａ（２０１）と電極部Ｂ（２０２）の導通のためのバーベル（３０）を設け、電極端部にＩＣチップ（４０）（情報）が積載されている。
図２の記載は、図１に記載された従来のＩＣの断面の構成図で台紙（１０）の裏面にＩＣ配線（２０）が印刷され、台紙（１０）設けられたスルーホール（５０）の位置に電極部Ａ（２０１）と電極部Ｂ（２０２）の導通のためのバーベル（３０）を設け構成されている。
図３は、本発明の実施の形態でＩＣタグ用の台紙（１０）本体と、該台紙本体に電極部Ａ（２０１）から配線し折り返し部を基点（２０３）としＩＣ配線折り返し基点（２０３）の位置にＩＣチップ（４０）が積載され、ＩＣ配線折り返し基点（２０３）より並列状態で配線され電極部Ｂ（２０２）端部に電極部Ａ（２０１）が導通される。
すなわちアンテナコイルを並列状態に折り返し、ＩＣ配線折り返し基点（２０３）の位置にＩＣチップ（４０）が積載され端部と端部の導通がされるよう形成するように配置されたＩＣ配線（２０）である。
また、本発明の材質については、ＩＣタグ用の台紙（１０）の材質は用紙、フィルム、硬質ビニール等のＩＣ配線（２０）の印刷が可能な任意の材質が使用されるものである。
本発明の図３及び図４に記載されたＩＣ配線（２０）の形成は長方形で示されたものであるが、アンテナコイルが並列状態で任意の基点部から折り返す形態であれば、全体形状は任意の形状と仕様で形成されるものである。
図４は、本発明の実施の応用でＩＣ配線（２０）のに設けられた配線欠落部（折り返し部基点（２０３））を任意に設定することを可能とした図の記載で、該配線欠落部に導通可能となるようにＩＣチップ（３０）を設けた図である。
すなわち、ＩＣ配線（２０）の任意の位置に配線欠落部（折り返し部基点（２０３））、ＩＣチップ（３０）の積載が可能となるものである。
図５に示されているのは、本発明の構成の断面図で台紙（１０）にＩＣ配線（２０）が印刷加工された状態を示した図である。
以上、本発明の構成で、実施において下記に示す。
本発明の実施
ＩＣタグは、ＩＣチップによる情報の書き換えが可能なことから、すでに商品の購入や交通機関の支払い等において実施されている。
しかし、ＩＣタグの製造に大幅なコストがかることから実施の拡大が望めない状況にある。
本発明のＩＣ配線及びＩＣタグの製造の実施によれば、低価格でのＩＣタグの提供されることで下記の実施が可能とされる。
１．  航空機関、電車、バス、タクシー等、交通機関の乗車賃の支払いがＩＣタグの利用により実施される。
２．  商品、飲食店、販売機等の購入と支払いがＩＣタグの利用により実施される。
３．  イベント、公演、映画等の支払いがＩＣタグの利用により実施される。
４．  イベントなどにおいての来客調査が実施される。
５．  商品の在庫管理及び流通の追跡調査と商品の販売傾向の調査が実施される。
以上ＩＣタグにより実施されるものであるが、記載以外あらゆる条件と用途のなかで幅広い実施が可能とされるものである。
本発明は、以上の実施がされるものである。
【産業上の利用可能性】
【０００７】本発明は従来のＩＣの実施における製造コスト費用が高額であった為に実施にいたらなかったが、本発明の製造方法であれば従来のＩＣ製造方法に比較し製造コストが大幅に削減できることから、低コストのＩＣの提供が可能とされるものである。
従って、本発明の実施による産業上の利用可能性として、航空機関、電車、バス、タクシー等、交通機関の乗車賃の支払い、商品、飲食店、販売機等の購入と支払い、イベント、公演、映画等の支払いなどが実施される。
また、他の産業上の利用可能性としてイベントなどにおいての来客調査、商品の在庫管理及び流通の追跡調査と商品の販売傾向の調査等が実施される。
以上、記載以外においてもあらゆる条件と用途のなかで幅広い産業上の利用の実施が可能とされるものである。
本発明は、以上の構成より産業上利用されるものである。
【図面の簡単な説明】
【０００８】
【図１】従来のＩＣの形態構成を示した図である。
【図２】従来のＩＣの形態構成の断面を示した図である。
【図３】本発明のＩＣの形態構成を示した図である。
【図４】本発明におけるＩＣの形態構成の斜視を示した図である。
【図５】本発明におけるＩＣの応用形態構成を示した図である。
【図６】本発明におけるＩＣの断面を示した図である。
【符号の説明】
【０００９】１０．    台紙
２０．    ＩＣ配線
２０１．  電極部Ａ
２０２．  電極部Ｂ
２０３．  ＩＣ配線折り返し基点
２０４．  折り返し配線
３０．    バーベル
４０．    ＩＣチップ
５０．    スルーホール
【図１】
2005346684.tif 000003
【図２】
2005346684.tif 000004
【図３】
2005346684.tif 000005
【図４】
2005346684.tif 000006
【図５】
2005346684.tif 000007
【手続補正書】
【提出日】平成16年8月5日(2004.8.5)
【手続補正１】
【補正対象書類名】明細書
【補正対象項目名】０００８
【補正方法】変更
【補正の内容】
【０００８】
【図１】従来のＩＣの形態構成を示した図である。
【図２】従来のＩＣの形態構成の断面を示した図である。
【図３】本発明のＩＣの形態構成を示した図である。
【図４】本発明におけるＩＣの形態構成の斜視を示した図である。
【図５】本発明におけるＩＣの断面を示した図である。